(57)【特許請求の範囲】
【請求項１】
データ放送番組スケジュールをファイルから読み込み、当該放送番組スケジュールに記載される、データ放送番組の放送時間の中で放送するデータ放送コンテンツを指定することにより、データ放送番組を制作するデータ放送番組編集装置であって、
データ放送番組スケジュールを解析して、放送時刻及びストリームに基づく第１の矩形と、当該データ放送番組で放送するデータ放送コンテンツ毎の放送時刻及びストリームに基づく第２の矩形とを重畳して画面に表示し、さらに、複数のファイルで構成されるデータ放送コンテンツについてはファイル毎の放送時間及びファイルに基づく第３の矩形を、前記第１の矩形に重畳して画面に表示するコンテンツ放送スケジュール表示部と、
前記コンテンツ放送スケジュール表示部に表示された前記第１、第２又は第３の矩形の変更に基づいて、当該データ放送コンテンツの放送時刻、当該データ放送コンテンツの他のストリームへの変更、及び当該データ放送コンテンツを構成するファイルの変更を行うコンテンツ放送スケジュール編集部と、
前記コンテンツ放送スケジュール編集部による変更後の当該データ放送番組に含まれるデータ放送コンテンツの、放送時刻とストリームとデータ放送コンテンツを構成するファイル名とが放送用のマークアップ言語で記述されたファイルに自動的に変換するコンテンツ変換部と
を備えたことを特徴とするデータ放送番組編集装置。
【請求項２】
前記コンテンツ変換部は、データ放送コンテンツを構成するファイル名を、
ストリームを指定するストリーム番号に基づいて当該ストリームにおいて放送されるファイル毎のファイル番号に自動的に変換することを特徴とする請求項１記載のデータ放送番組編集装置。
【請求項３】
前記コンテンツ放送スケジュール表示部は、
前記第１の矩形として、一辺が前記放送時刻から求められる放送時間に応じた長さであり他辺がストリームの数に比例する長さである矩形を、
前記第２の矩形として、一辺がデータコンテンツを構成するファイル毎の放送時間に応じた長さであり他辺がストリームが一つであるときの長さより短い長さである矩形を、
表示する
ことを特徴とする請求項１又は２記載のデータ放送番組編集装置。
【発明の詳細な説明】
【０００１】
【発明の属する技術分野】
本発明はデータ放送番組編集装置に関し、特に、時刻の経過に伴って放送コンテンツが変化するデータ放送番組を編集するデータ放送番組編集装置に関するものである。
【０００２】
【従来の技術】
マルチメディア・コンテンツ制作装置の従来例として、日本電気株式会社製の「日曜日はクリエータｖｅｒ１．０」（ＮＥＣ日曜日はクリエータｖｅｒ１．０入門ガイド）がある。図１９は、「日曜日はクリエータｖｅｒ１．０」の編集画面である。マルチメディア・コンテンツ制作装置では、コンテンツの画面に提示する写真などの画像や、文字のレイアウトを決定、またリンクと呼ばれる画面間の遷移情報などを決定する。
【０００３】
データ放送番組では、時刻の経過に伴って、前述したマルチメディア・コンテンツに似たデータ放送コンテンツを切り替えて放送する。データ放送番組では、番組内に複数のデータ放送コンテンツを持ち、それぞれが関係した放送時刻を持っている。データ放送番組を編集するためには、データ放送番組の放送時間を知ることが必要で、その放送時間内でデータ放送コンテンツを放送するように編集を行う。
【０００４】
しかしながら、従来例にあげたような、マルチメディア・コンテンツ制作装置には、データ放送番組の放送時間を読み込む手段がなく、放送時刻を決定する編集を行うことができない。
【０００５】
また、データ放送番組は、複数のデータ放送コンテンツで構成されることがあり、これらのコンテンツを異なった制作者が制作することがあるが、異なった制作者によって制作されたデータ放送コンテンツをまとめあげて、データ放送番組を制作するためのデータ放送番組編集装置は従来存在しない。
【０００６】
【発明が解決しようとする課題】
上述したとおり、従来のマルチメディア・コンテンツ制作装置では、「１２月１０日の１３時００分から１４時００分まで１時間」というような放送時刻に基づいて、放送時間の初めの３０分には１番目のデータ放送コンテンツを放送し、後の３０分には２番目のデータ放送コンテンツを放送するというコンテンツ放送スケジュールを編集することができない。
【０００７】
また、データ放送番組は、１つのデータ放送番組をビットストリームが異なる複数の放送帯域に分割して放送することが可能であるが、従来では、データ放送コンテンツを放送する放送帯域を指定することができない。
【０００８】
さらに、異なる制作者によって制作されたデータ放送コンテンツを集めて、データ放送番組を構成する編集もできない。
そこで、本発明の課題は、データ放送コンテンツの放送時間ばかりでなく放送帯域も任意に変更できるに加え、それを構成するファイル単位での変更も任意に行えるデータ放送番組編集装置を提供することにある。
【０００９】
【課題を解決するための手段】
本発明は、データ放送番組スケジュールをファイルから読み込み、当該放送番組スケジュールに記載される、データ放送番組の放送時間の中で放送するデータ放送コンテンツを指定することにより、データ放送番組を制作するデータ放送番組編集装置であって、データ放送番組の放送時間、放送帯域を図形にし、さらに、当該データ放送番組で放送する、データ放送コンテンツ毎の放送時間及び放送帯域であるストリームが分かる図形にし、かつ複数のファイルで構成されるデータ放送コンテンツについては、構成するファイルに分割した図形にして画面に表示するコンテンツ放送スケジュール表示部と、このコンテンツ放送スケジュール表示部にて表示された前記図形を変えることにより、当該データ放送コンテンツの放送時間、当該データ放送コンテンツの他のストリームへの変更、当該データ放送コンテンツを構成するファイルの変更を可能にするコンテンツ放送スケジュール編集部と、このコンテンツ放送スケジュール編集部による編集後の当該データ放送番組に含まれるデータ放送コンテンツの、放送時間とストリームとデータ放送コンテンツを構成するファイル名とが放送用のマークアップ言語で記述されたファイルに自動的に変換するコンテンツ変換部とを備えたことを特徴とする。
【００１０】
その好ましい具体的形態を挙げると、コンテンツ変換部は、読み込まれたファイルに記述されていたデータ放送コンテンツを構成するファイル名を、ストリームを指定するストリーム番号と関連付けたファイル番号に変換する。
【００１１】
コンテンツ放送スケジュール表示部は、データ放送番組毎の放送時間が分かる図形を放送時間に応じた長さの矩形、ストリームに分割した図形をストリーム毎の矩形、データ放送コンテンツを構成するファイルを、ファイル毎のしかもそれぞれの放送時間の長さに応じた矩形をもって表示する。
【００１２】
【発明の実施の形態】
次に、本発明の実施の形態について図面を参照して詳細に説明する。
【００１３】
図１は本発明の一実施形態の構成を示すブロック図である。
図１を参照すると、本発明によるデータ放送番組編集装置は、大きくは、時刻の経過に伴って放送コンテンツが変化するデータ放送番組を制作するために、放送用のマークアップ言語で記述されるデータ放送コンテンツを制作する、１つ以上のデータ放送コンテンツ制作部１０７、１０８、１０９と、データ放送番組の放送時刻及び放送帯域の情報を含む、データ放送番組スケジュールを読み込み、データ放送コンテンツ制作部１０７、１０８、１０９で制作された、１つ以上のデータ放送コンテンツを選択して、それらの放送時刻と放送帯域を決定するデータ放送番組制作部１０とで構成される。
【００１４】
本例におけるデータ放送番組制作部１０は、データ放送番組スケジュールを読み込むデータ放送番組スケジュール読込部１０１と、データ放送コンテンツの放送時刻と放送帯域の情報を含むコンテンツ放送スケジュールを、パソコン・ディスプレイにグラフィカル・ユーザ・インタフェース（ＧＵＩ）を用いて表示するコンテンツ放送スケジュール表示部１０２と、パソコンに接続された入力装置を用いて、コンテンツ放送スケジュール表示部１０２で表示された、データ放送コンテンツの放送スケジュールを変更、あるいはデータ放送コンテンツ制作部１０７、１０８、１０９で制作されたデータ放送コンテンツを選択して、コンテンツ放送スケジュールに追加するコンテンツ放送スケジュール編集部１０３と、データ放送コンテンツを読み込み、コンテンツ構成情報を取得して、コンテンツ放送スケジュール表示部１０２に提供するコンテンツ読込部１０５と、コンテンツ放送スケジュール表示部１０２で表示しているコンテンツ放送スケジュールに基づいて、データ放送コンテンツをデータ放送番組に適した形式に自動的に変換するコンテンツ変換部１０４と、コンテンツ変換部１０４で変換されたデータ放送番組を出力するデータ放送番組出力部１０６とで構成されている。
【００１５】
まず、図２及び図３を用いて、本発明のデータ放送番組編集装置で制作するデータ放送番組について説明する。
図２は、データ放送コンテンツ制作部１０７、１０８、１０９で制作されるデータ放送コンテンツの画面と画面遷移を模式的に示した図である。図３は、データ放送番組の放送時刻表の例を示した図である。
【００１６】
データ放送番組で放送されるデータ放送コンテンツは、テレビ受像機やパソコン画面などに図２に示すような文字、画像などのマルチメディア情報を提示するコンテンツである。画面に提示されたボタン状の部品をテレビのリモコンやパソコンのマウスで操作すると、画面が遷移する。例えば、図２の画面２１がテレビ受像機に提示されているときに、週間ボタン２１１をリモコンで操作すると、画面２３の表示に切り替わり、各地ボタン２１２をリモコンで操作すると、画面２２の表示に切り替わる。
【００１７】
データ放送では、前述したデータ放送コンテンツを含むデータ放送番組を、図３に示すような番組の放送時刻表に従って、いろいろなデータ放送番組を放送する。このように、各々のデータ放送番組は、「１２時００分から１２時３０分まで放送」といった放送スケジュールを持つ。
【００１８】
次に、図４及び図５を用いて、データ放送番組スケジュール読み込み部１０１、及びコンテンツ放送スケジュール表示部１０２の動作について説明する。
図４は、本発明のデータ放送番組編集装置で読み込む、データ放送番組スケジュールの第１例を示した図である。
図５は、コンテンツ放送スケジュール表示部１０２で編集途中のコンテンツ放送スケジュールを表示している第１例を示す図である。
【００１９】
図４に示したようなデータ放送番組スケジュールを持つデータ放送番組を編集する場合について説明する。編集するデータ放送番組は、図４に示した通り、データ放送番組名「天気予報とニュース」、放送年月日「２０００年１２月１０日」、放送開始時刻「１２時００分」、放送終了時刻「１２時３０分」、放送ストリーム数「１個」、ストリーム１の放送帯域「１００ＫＢＰＳ」である。ここで、データ放送番組では、１つの番組を複数の帯域に分割して、同時に複数のデータ放送コンテンツを放送することができる。この各々の帯域をストリームと呼ぶ。図４に示したデータ放送番組スケジュールは、データベース上のデータあるいはデータファイルとして記録されているとする。なお、同内容の情報が含まれていれば他の記録媒体に記録されていてもよい。
【００２０】
データ放送番組スケジュール読み込み部１０１は、データ放送番組スケジュールが記録された記録媒体から、記録されたデータ放送番組スケジュールを読み込み、コンテンツ放送スケジュール表示部１０２にその情報を提供する。
【００２１】
コンテンツ放送スケジュール表示部１０２は、受け取ったデータ放送番組スケジュールを解析して、図５に示すように、パソコン・ディスプレイの編集画面に表示する。データ放送番組名、放送年月日を表示し、矩形５１はストリーム１に対応している。矩形５１の右側のハッチング部分は、横方向に時刻を表しており、左端が１２時００分、右端が１２時３０分に対応する。
【００２２】
次に、図６、図７、図８、図９、図１０、図１１を用いて、データ放送コンテンツ制作部１０７、１０８、１０９、コンテンツ放送スケジュール編集部１０３の動作説明、及びコンテンツ放送スケジュール表示部１０２のさらに詳しい動作を説明する。
【００２３】
図６は、コンテンツ放送スケジュール表示部１０２で編集途中のコンテンツ放送スケジュールを表示している第２例を示す図である。
図７は、コンテンツ放送スケジュール編集部１０３で、コンテンツ放送スケジュールを編集する際の編集操作を模式的に示した図である。
図８は、コンテンツ放送スケジュール表示部１０２で編集途中のコンテンツ放送スケジュールを表示している第３例を示す図である。
図９は、コンテンツ放送スケジュール表示部１０２で編集途中のコンテンツ放送スケジュールを表示している第４例を示す図である。
【００２４】
データ放送コンテンツ制作部１０７は、データ放送番組で放送する、データ放送コンテンツを制作する。制作するデータ放送コンテンツの例は図２に示した通りである。ここで、図１に示したように、データ放送コンテンツ制作部１０７と同等のデータ放送コンテンツ制作部１０８、１０９を持つことにより、同時に複数の制作者により、データ放送番組を構成するデータ放送コンテンツを制作することが可能となる。図１では、３つのデータ放送コンテンツ制作部１０７、１０８、１０９を記載しているが、３つに限るものではない。
【００２５】
コンテンツ放送スケジュール編集部１０３は、データ放送コンテンツ制作部１０７、１０８、１０９で制作されたデータ放送コンテンツを選択して、その放送時刻を指定する。例えば、「天気予報」コンテンツを選択して、その放送時刻を１２時００分から１２時３０分と指定する。この結果、コンテンツ放送スケジュール表示部１０２で表示される画面は、図６のようになり、ストリーム１で天気予報コンテンツが１２時００分から１２時３０分まで放送されることを示す。
【００２６】
また、コンテンツ放送スケジュール編集部１０３では、パソコンに接続されたマウスなどの入力装置操作から、図７に示すように、「天気予報」コンテンツの終了時刻、または開始時刻を変更することができる。図８は、「天気予報」コンテンツの終了時刻を１２時１５分に変更した場合に、コンテンツ放送スケジュール表示部１０２に表示される画面を示す。
【００２７】
さらに、コンテンツ放送スケジュール編集部１０３で、「ニュース」コンテンツを選択して、１２時１５分から１２時３０分まで放送するように指定した後の、コンテンツ放送スケジュール表示部１０２で表示される画面を図９に示す。
【００２８】
次に、図１０及び図１１を用いて、コンテンツ放送スケジュール編集部１０３、及びコンテンツ放送スケジュール表示部１０２のさらに詳しい動作説明を行う。
図１０は、本発明のデータ放送番組編集装置で読み込む、データ放送番組スケジュールの第２例を示した図である。
図１１は、コンテンツ放送スケジュール表示部１０２で編集途中のコンテンツ放送スケジュールを表示している第５例を示す図である。
【００２９】
図１０に示したデータ放送番組スケジュールでは、放送ストリーム数が「３個」となっている。このデータ放送番組スケジュールをデータ放送スケジュール読込部１０１で読み込んで、編集を行うと、コンテンツ放送スケジュール表示部には、３個のストリームに対応する矩形が表示される。コンテンツ放送スケジュール編集部１０３では、あるストリームに指定されたデータ放送コンテンツに対応する矩形を、マウスなどの入力装置を操作することによって、別のストリーム上へ移動させ、データ放送コンテンツを放送するストリームを変更することができる。図１１は、ストリーム３で１３時３０分から１４時００分まで放送する予定であった「ランニングマシーン」コンテンツを、ストリーム２で１３時００分から１４時００分まで放送するように変更する場合の操作の例を示している。
【００３０】
次に、図１２、図１３、図１４、図１５を参照して、コンテンツ読み込み部１０５の動作説明、及びコンテンツ放送スケジュール編集部１０３、コンテンツ放送スケジュール表示部１０２のさらに詳しい動作説明を行う。
【００３１】
図１２は、本発明のデータ放送番組編集装置で制作するデータ放送番組に含まれるデータ放送コンテンツを構成するファイル群とそれらの参照関係を模式的に示した図である。
図１３は、コンテンツ放送スケジュール表示部１０２で表示される「天気予報」コンテンツに対応する矩形８１（図８）の一部を拡大して表示した図である。図１４は、「参照ファイルＡ３」の放送スケジュールを変更して、「参照ファイルＡ４」を放送スケジュールに追加した後に、コンテンツ放送スケジュール表示部１０２で表示される「天気予報」コンテンツに対応する矩形の一部を拡大して表示した図である。
【００３２】
図２に示したデータ放送コンテンツは、図１２に示すようなファイル構成となっている。１２１、１２２、１２３は放送用マークアップ言語を記述したファイルであり、１２４、１２５、１２６は、マークアップ言語内で記述された参照ファイル群である。今、「天気予報」コンテンツが図１２で示すようなファイル構成で制作されている場合を考える。図１３は、図８の矩形８１の一部を拡大したもので、「天気予報」コンテンツが、「ＢＭＬファイルＡ」「参照ファイルＡ１」「参照ファイルＡ２」「参照ファイルＡ３」を含んで構成されており、それぞれのファイルが１２時００分から１２時１５分まで放送されることを示している。
【００３３】
コンテンツ放送スケジュール編集部１０３では、コンテンツに対応する矩形をマウスなどで操作して、放送時刻を変更したり、新しいコンテンツを追加する編集を行うが、これと同じ操作で、コンテンツを構成するファイルに対応する矩形をマウスで操作することによって、コンテンツを構成するファイルの放送時刻を変更したり、新しいファイルを追加したりする。「参照ファイルＡ３」の終了時刻を１２時１０分に変更し、１２時１０分から１２時１５分に「参照ファイルＡ４」というファイルを追加するとコンテンツ放送スケジュール表示部１０２には図１４のように表示される。
【００３４】
ここでは、コンテンツを構成するファイルに対応する矩形を、コンテンツに対応する矩形内部に常時表示する例を示したが、編集者が必要に応じて、表示、非表示を切り替え可能にしてもよい。
【００３５】
次に、図１５を参照してコンテンツ変換部１０４の動作を説明する。
図１５は、コンテンツ変換部で変換されるコンテンツの変換の様子を模式的に示した図である。
【００３６】
データ放送コンテンツ制作部１０７、１０８、１０９で制作されるデータ放送コンテンツは、パソコンなどの記録装置にファイルとして記録される。そのため、放送用マークアップ言語内には、参照するファイルや、ジャンプ先の指定が、１５１に示したように、”Ｐａｇｅ１．ｂｍｌ”、”Ｐｈｏｔｏ．ｊｐｇ”というファイル名が記述される。データ放送では、コンテンツを構成するファイルに番号をつけて管理することがあり、この場合、ファイル名と番号を１５２にように対応付けた上で、１５３のように放送用マークアップ言語の記述を変更する必要がある。コンテンツ変換部１０４では、コンテンツ読込部１０５からコンテンツを構成するファイルを取得し、１５２のようにファイルに自動的に番号をつけて、放送用マークアップ言語の記述を図１５に示したように変更する。
【００３７】
図１７でmenu.bmlの中に、
＜a href="C:\St2\runner.bml"＞
＜a href="C:\St3\Radio\start.bml"＞
という記述があるが、この記述を変換する例を以下に示す。
【００３８】
データ放送番組を構成するストリームには番号がついており、この番号は、図４に示すデータ放送番組スケジュールとして提供される情報である。
ここでは、ストリーム１〜３の順に「４１」「４２」〜「４３」の番号がついているとすると、ストリーム２で放送される、ランニングマシーンコンテンツを構成するファイルには、
ファイル名           番号
C:\St2\runner.bml    ０
C:\St2\detail.bml    １
C:\St2\detail.png    ２
C:\St2\return.png    ３
C:\St2\buy.png       ４
という番号を自動的につける。
【００３９】
また、ストリーム３で放送される、ラジオカセットコンテンツとビデオカメラコンテンツを構成するファイルには、
ファイル名                番号
C:\St3\Radio\start.bml     ０
C:\St3\Video\start.bml     ０
C:\St3\Radio\buy.png       １
C:\St3\Video\check.png     １
C:\St3\Video\buy.png       １
という番号をつける。このとき図１６で一行に並んでいるファイルには同一の番号をつける。
【００４０】
menu.bmlの記述は、
＜a href="/42/0"＞
＜a href="/43/0"＞
のように自動変換される。
【００４１】
最後に図１６、図１７、図１８を参照して、データ放送番組出力部１０６の動作を説明する。
図１６は、データ放送番組の編集を完了したときに、コンテンツ放送スケジュール表示部１０２で表示している画面の例である。
図１７は、編集を完了したデータ放送番組を構成するデータ放送コンテンツとデータ放送コンテンツを構成するファイルを模式的に示した図である。
図１８は、編集を完了したデータ放送番組に含まれる、ファイルの放送スケジュールを表形式で表した図である。
【００４２】
データ放送番組出力部１０６は、コンテンツ放送スケジュール表示部１０２から、データ放送番組に含まれるすべてのデータ放送コンテンツを構成するファイルの放送スケジュールを取得し、その情報をファイルなどの記憶媒体へ記憶させる。さらに、コンテンツ変換部１０４によって、変換されたコンテンツを構成するファイル群を、記憶媒体へ記憶させる。図１６のようなコンテンツ放送スケジュールの場合、データ放送番組出力部１０６が出力する情報は、図１７に示したファイル群と、図１８に示した情報を格納したファイルに記録される。図１６で「ＴＶショッピングメニュー」コンテンツに対応する矩形１６１は、このコンテンツが１３時００分から１４時００分まで放送されることを示している。図１７の１７１はこのコンテンツが”Ｃ：￥Ｓｔ１￥ｍｅｎｕ．ｂｍｌ”、”Ｃ：￥Ｓｔ１￥ｓｐｏｒｔ．ｐｎｇ”、”Ｃ：￥Ｓｔ１￥ａｕｄｉｏ．ｐｎｇ”で示されるファイルで構成されていることを表して、これらの情報から、それぞれのファイルの送出スケジュールが１３時００分から１４時００分であることを決定する。また、コンテンツ変換部１０４では、このコンテンツを構成するファイルが３つあり、それぞれに０、１、２の番号を自動的に振り、放送用マークアップ言語を記録した”Ｃ：￥Ｓｔ１￥ｍｅｎｕ．ｂｍｌ”ファイルの内容を書き換える。
【００４３】
【発明の効果】
以上のように構成される本発明のデータ放送番組編集装置は、従来のマルチメディア・コンテンツ制作装置では、「１２月１０日の１３時００分から１４時００分まで１時間」というような放送時刻に基づいて、放送時間の初めの３０分には１番目のデータ放送コンテンツを放送し、後の３０分には２番目のデータ放送コンテンツを放送するというコンテンツ放送スケジュールを編集することができないという問題を解決する。
【００４４】
また、データ放送番組は、データ放送番組を複数の放送帯域に分割して放送することが可能であるが、データ放送コンテンツを放送する放送帯域を指定することができないという問題を解決する。
【００４５】
さらに、異なる制作者によって制作されたデータ放送コンテンツを集めて、データ放送番組を構成する編集ができないという問題を解決する。
【図面の簡単な説明】
【図１】本発明の一実施の形態を示すブロック図である。
【図２】データ放送コンテンツの一例を示す模式図である。
【図３】データ放送番組時刻表の例を示す図である。
【図４】データ放送番組スケジュールの第１例を示す図である。
【図５】コンテンツ放送スケジュール表示部１０２で表示する画面の１番目の例を示す図である。
【図６】コンテンツ放送スケジュール表示部１０２で表示する画面の２番目の例を示す図である。
【図７】コンテンツ放送スケジュール編集部１０３でマウス操作でコンテンツ放送時刻を編集する様子を示した模式図である。
【図８】コンテンツ放送スケジュール表示部１０２で表示する画面の３番目の例を示す図である。
【図９】コンテンツ放送スケジュール表示部１０２で表示する画面の４番目の例を示す図である。
【図１０】データ放送番組スケジュールの２つ目の例を示す図である。
【図１１】コンテンツ放送スケジュール表示部１０２で表示する画面の５番目の例を示す図である。
【図１２】データ放送コンテンツを構成するファイル群とそれらの参照関係を模式的に示した図である。
【図１３】コンテンツ放送スケジュール表示部１０２で表示する画面の一部を拡大した１番目の例を示す図である。
【図１４】コンテンツ放送スケジュール表示部１０２で表示する画面の一部を拡大した２番目の例を示す図である。
【図１５】コンテンツ変換部で変換されるコンテンツの変換の様子を模式的に示した図である。
【図１６】コンテンツ放送スケジュール表示部１０２で表示する画面の６番目の例を示す図である。
【図１７】データ放送番組を構成するデータ放送コンテンツとデータ放送コンテンツを構成するファイルを模式的に示した図である。
【図１８】データ放送番組に含まれるファイルの放送スケジュールを表形式で表した図である。
【図１９】従来のマルチメディア・コンテンツ制作装置の編集画面の例を示した図である。
【符号の説明】
２１  データ放送コンテンツの１画面
２２  データ放送コンテンツの１画面
２３  データ放送コンテンツの１画面
２１１  データ放送コンテンツの画面に含まれるボタン
５１  データ放送番組スケジュールの放送ストリームに対応する矩形（ＧＵＩ部品）
６１  データ放送コンテンツに対応する矩形（ＧＵＩ部品）
７１  マウスポインタ
８１  データ放送コンテンツに対応する矩形（ＧＵＩ部品）
１３１  データ放送コンテンツを構成するファイルに対応する矩形（ＧＵＩ部品）
１４１  データ放送コンテンツを構成するファイルに対応する矩形（ＧＵＩ部品）
１４２  データ放送コンテンツを構成するファイルに対応する矩形（ＧＵＩ部品）
１５１  コンテンツ変換前の放送用マークアップ言語記述
１５２  コンテンツ変換のためのファイル名と番号の対応表
１５３  コンテンツ変換後の放送用マークアップ言語記述
【図１】
0003767311.tif 000002
【図２】
0003767311.tif 000003
【図３】
0003767311.tif 000004
【図４】
0003767311.tif 000005
【図５】
0003767311.tif 000006
【図６】
0003767311.tif 000007
【図７】
0003767311.tif 000008
【図８】
0003767311.tif 000009
【図９】
0003767311.tif 000010
【図１０】
0003767311.tif 000011
【図１１】
0003767311.tif 000012
【図１２】
0003767311.tif 000013
【図１３】
0003767311.tif 000014
【図１４】
0003767311.tif 000015
【図１５】
0003767311.tif 000016
【図１６】
0003767311.tif 000017
【図１７】
0003767311.tif 000018
【図１８】
0003767311.tif 000019
【図１９】
0003767311.tif 000020